(57)【特許請求の範囲】
【請求項１】
被写体光の入射する第１の光軸を折り曲げる第１の反射面と、
前記第１の反射面による折り曲げ後の第２の光軸に沿って移動可能となされたレンズ群と、
前記第２の光軸を更に折り曲げる第２の反射面と、
前記第２の反射面による折り曲げ後の第３の光軸を、前記第２の光軸に沿って平行となるように折り曲げる第３の反射面と、
前記第３の反射面による折り曲げ後の第４の光軸に沿って移動可能となされたレンズ群と、
前記第２の光軸と前記第４の光軸の間に配置された雄ネジ部材と前記雄ネジ部材を駆動するモータと、を有し、
前記雄ネジ部材は、ピッチの異なる第１のネジ溝と第２のネジ溝が一体的に形成され、
前記モータの駆動により前記雄ネジ部材を回転させ、前記第１のネジ溝によって前記第２の光軸に沿って移動可能となされたレンズ群を移動させると共に、前記第２のネジ溝によって前記第４の光軸に沿って移動可能となされたレンズ群を異なる移動量で移動させるよう構成したことを特徴とするレンズ鏡胴。
【請求項２】
前記第１のネジ溝と前記第２のネジ溝の進み方向が同じで、前記第１のネジ溝のピッチが前記第２のネジ溝のピッチより大きいことを特徴とする請求項１に記載のレンズ鏡胴。
【請求項３】
請求項１又は２に記載のレンズ鏡胴を備えたことを特徴とする撮像装置。
【発明の詳細な説明】
【技術分野】
【０００１】
本発明は、屈曲した撮像光学系を内包し、所定のレンズ群を移動させるレンズ駆動装置を有したレンズ鏡胴及び撮像装置に関するものである。
【背景技術】
【０００２】
従来より、ズームレンズを搭載したカメラが市販されている。ズームレンズは、光学系を構成する複数のレンズ群を光軸に沿って所望の位置に移動させて、その間隔を変化させることにより、焦点距離の変更（ズーミング）を行うようになっている。
【０００３】
レンズ群を光軸に沿って移動させる方式としては大別して２種有り、レンズ枠を直進案内に係合させ、カム筒やヘリコイドを回転させることによりレンズ枠を直進移動させるものと、光軸に略平行に軸を配置しこの軸を直進案内のガイド軸とし、レンズ枠にガイド軸が貫通するスリーブを形成し、モータとリードスクリューを用いて直接的にレンズ枠をガイド軸に沿って摺動させ直進移動させるものがある。また、これらのレンズ群を移動させるための駆動源としては、ＤＣモータやステッピングモータが一般的に用いられている。
【０００４】
一方、光学系中に反射面を配置し、光軸を折り曲げた所謂屈曲光学系が知られている。このような屈曲した撮像光学系を備えたカメラは、撮影時にカメラ前面からレンズ鏡胴が突出せず、ズーミングを行ってもカメラの形態が変化しない利点を有している。
【０００５】
この屈曲した撮像光学系を用いたカメラにおいても、外形は小型薄型化が求められ、内蔵される撮像光学系はより高変倍化が求められている。しかしながら、撮像光学系を高変倍化すると光学系全長が大きくなる傾向は避けられない。
【０００６】
このような要求に対し、複数の反射面を配置して、光軸が同一平面内に収まらないように複数回折り曲げた撮像光学系として、これを内蔵するカメラの外形を小型化したものがある（例えば、特許文献１参照）。
【特許文献１】特開２００４−１９３８４８号公報
【発明の開示】
【発明が解決しようとする課題】
【０００７】
上記特許文献１に記載のデジタルカメラは、高変倍のズームレンズを外形の小さいカメラに収納できるものである。しかしながら、ズームレンズの光軸を複数回折り曲げ、ズーミング時に移動するレンズ群が同一直線でない光軸上でそれぞれ移動するように配置した場合、レンズ群の移動を行うに際し、それぞれのレンズ群に対し個別に駆動源を配置するとコスト高となるばかりか、レンズ鏡胴の大型化を招く問題がある。
【０００８】
本発明は上記問題に鑑み、光軸を複数回折り曲げて構成したズームレンズの、ズーミング時に移動するレンズ群が同一直線でない光軸上に配置されている場合でも、低コストでより小型化したレンズ鏡胴及び撮像装置を得ることを目的とするものである。
【課題を解決するための手段】
【０００９】
上記の目的は、下記に記載する発明により達成される。
【００１０】
１．被写体光の入射する第１の光軸を折り曲げる第１の反射面と、前記第１の反射面による折り曲げ後の第２の光軸に沿って移動可能となされたレンズ群と、前記第２の光軸を更に折り曲げる第２の反射面と、前記第２の反射面による折り曲げ後の第３の光軸を、前記第２の光軸に沿って平行となるように折り曲げる第３の反射面と、前記第３の反射面による折り曲げ後の第４の光軸に沿って移動可能となされたレンズ群と、前記第２の光軸と前記第４の光軸の間に配置された雄ネジ部材と前記雄ネジ部材を駆動するモータと、を有し、前記雄ネジ部材は、ピッチの異なる第１のネジ溝と第２のネジ溝が一体的に形成され、前記モータの駆動により前記雄ネジ部材を回転させ、前記第１のネジ溝によって前記第２の光軸に沿って移動可能となされたレンズ群を移動させると共に、前記第２のネジ溝によって前記第４の光軸に沿って移動可能となされたレンズ群を異なる移動量で移動させるよう構成したことを特徴とするレンズ鏡胴。
【００１１】
２．前記第１のネジ溝と前記第２のネジ溝の進み方向が同じで、前記第１のネジ溝のピッチが前記第２のネジ溝のピッチより大きいことを特徴とする１に記載のレンズ鏡胴。
【００１５】
３．１又は２に記載のレンズ鏡胴を備えたことを特徴とする撮像装置。
【発明の効果】
【００１６】
本発明によれば、ズーミング時に移動するレンズ群が同一直線でない光軸上に配置された撮像光学系の場合にも、低コストでより小型化したレンズ鏡胴及び撮像装置を得ることが可能となる。
【発明を実施するための最良の形態】
【００１７】
以下、実施の形態により本発明を詳しく説明するが、本発明はこれに限定されるものではない。
【００１８】
（第１の実施の形態）
以下、第１の実施の形態に係るレンズ鏡胴及び撮像装置について説明する。
【００１９】
図１は、第１の実施の形態に係るレンズ鏡胴を備えた撮像装置の一例である、カメラ１００の主要構成ユニットの内部配置の一例を示す図である。同図は、カメラ１００を被写体側斜め上方から見た斜視図である。
【００２０】
同図に示すように、カメラ１００は、変倍可能な折り曲げ撮像光学系を内包したレンズ鏡胴５０が図示の如く右側に縦に配置され、開口部５１が被写体光束を取り込むよう配置されている。この開口部５１には、開口部５１を露呈する開状態と開口部５１を覆う閉状態とする図示しないレンズバリアが設けられている。
【００２１】
５２はフラッシュ発光窓であり、５３はフラッシュ発光窓の後方に配置された反射傘、キセノン管、その他メインコンデンサ、回路基板等で構成されるフラッシュユニットである。５４はカード型の画像記録用メモリである。５５は電池であり、本カメラの各部へ電源を供給する。画像記録用メモリ５４及び電池５５は、図示しない蓋部から挿脱が可能となっている。
【００２２】
本カメラの上面には、レリーズ釦５６が配置され、その１段の押し込みによりカメラの撮影準備動作、即ち焦点合わせ動作や測光動作が行われ、その２段の押し込みにより撮影露光動作が行われる。５７はメインスイッチであり、カメラを動作状態と非動作状態に切り替えるスイッチである。メインスイッチ５７により動作状態に切り替えられると、図示しないレンズバリアは、開状態にされると共に、各部の動作が開始される。また、メインスイッチ５７により非動作状態に切り替えられると、図示しないレンズバリアは、閉状態にされると共に、各部の動作を終了させる。
【００２３】
本カメラの背面には、ＬＣＤ或いは有機ＥＬ等で構成され、画像やその他文字情報等を表示する画像表示部５８が配置されている。また、図示していないが、ズームアップ、ズームダウンをおこなうズーム釦、撮影した画像を再生する再生釦、画像表示部５８上に各種のメニューを表示させるメニュー釦、表示から所望の機能を選択する選択釦等の操作部材が配置されている。
【００２４】
なお、不図示であるが、これら主要構成ユニットの間には、各部を接続すると共に、各種電子部品が搭載された回路基板が配置され、各主要構成ユニットの駆動及び制御を行うようになっている。同様に、不図示の、外部入出力端子、ストラップ取り付け部、三脚座等を備えている。
【００２５】
図２は、第１の実施の形態に係るレンズ鏡胴５０の内部の変倍可能な折り曲げ撮像光学系を示す模式図である。同図（ａ）は被写体光の入射する光軸ＯＡと、光軸ＯＡが折り曲げられた後の光軸ＯＢを含む面で切断した模式的な断面を示し、同図（ｂ）は光軸ＯＢと、光軸ＯＢが折り曲げられた後の光軸ＯＣと、光軸ＯＣが折り曲げられた後の光軸ＯＤを含む面で切断した模式的な断面を示している。同図（ｃ）は同図（ｂ）に示すＦ−Ｆ線で切断した模式的な断面を示している。なお、同図においては、移動する各レンズ群を直進案内するガイド部材を省略して示してある。また、以下の図においては、説明の重複を避けるため、同機能部材には同符号を付与して説明する。
【００２６】
同図において、１は第１レンズ群であり、第１レンズ群１は光軸をＯＡとし被写体に向けて配置されたレンズ１１、反射面を有した反射部材Ｒ１、レンズ１２で構成されている。この反射部材Ｒ１により、光軸ＯＡは光軸ＯＢ方向に折り曲げられる。この第１レンズ群１は固定されたレンズ群である。
【００２７】
２は第２レンズ群であり、第２レンズ群鏡枠２ｋに組み込まれている。第２レンズ群は、変倍（以下、ズーミングとも言う）時に第２レンズ群鏡枠２ｋと共に、一体的に移動するレンズ群である。
【００２８】
第２レンズ群２の後方には、反射面を有した反射部材Ｒ２が配置され、この反射部材Ｒ２により、光軸ＯＢは光軸ＯＣ方向に折り曲げられる。
【００２９】
３は第３レンズ群であり、固定されたレンズ群である。Ｓは絞りシャッタユニットである。
【００３０】
第３レンズ群３の後方には、反射面を有した反射部材Ｒ３が配置され、この反射部材Ｒ３により、光軸ＯＣは光軸ＯＤ方向に折り曲げられる。
【００３１】
４は第４レンズ群であり、第４レンズ群鏡枠４ｋに組み込まれている。第４レンズ群は、変倍時に第４レンズ群鏡枠４ｋと共に、一体的に移動するレンズ群である。
【００３２】
５は第５レンズ群であり、第５レンズ群鏡枠５ｋに組み込まれている。第５レンズ群５は、変倍時及び焦点調節（以下、フォーカシングとも言う）時に第５レンズ群鏡枠５ｋと共に、一体的に移動するレンズ群である。
【００３３】
６は赤外光カットフィルタ及びオプチカルローパスフィルタを積層した光学フィルタである。７は撮像素子であり、ＣＣＤ（Ｃｈａｒｇｅ  Ｃｏｕｐｌｅｄ  Ｄｅｖｉｃｅ）型イメージセンサ、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型イメージセンサ等が用いられる。撮像素子７は不図示のフレキシブルプリント基板に接続され、カメラ内の他の回路へ接続される。
【００３４】
第２レンズ群２、第４レンズ群４、第５レンズ群５は、同図（ｂ）に示すワイド状態の位置から、第３レンズ群３に近接する方向へ、各々設定された量だけ移動しズーミングが行われる。更に、第５レンズ群５は、ズーミングにより移動した位置から更に移動することによりフォーカシングを行うようになっている。
【００３５】
図３は、ズーミング時の各レンズ群の移動線図である。同図は、各レンズ群の移動を模式的に示すものであり、破線は反射部材Ｒ１、Ｒ２、Ｒ３の反射面の位置を示し、縦軸の数字はそれぞれレンズ群を示している。
【００３６】
同図に示すように、第１レンズ群１、第３レンズ群３は固定レンズ群であり、第２レンズ群２、第４レンズ群４、第５レンズ群５はワイド（Ｗ）〜テレ（Ｔ）の間を図示の如く移動してズーミングが行われる。なお、第５レンズ群５はズーミングで移動した位置から更に移動してフォーカシングも行うようになっている。
【００３７】
図２に戻り、２１は第１モータであり、２２は第２モータである。第１モータ２１、第２モータ２２は、例えばステッピングモータであり、不図示のプリント基板に接続され、個々に制御及び駆動されるようになっている。
【００３８】
第１モータ２１には、回転軸に雄ネジ部材であるリードスクリュー２１ｒが形成されている。このリードスクリュー２１ｒには、１本の軸に、ネジの進み方向は同じであって、ピッチが異なる第１のネジ溝２１ｒ1、第２のネジ溝２１ｒ2が形成されている。この第１、第２のネジ溝２１ｒ1、２１ｒ2を有したリードスクリュー２１ｒは、それぞれ個別に製作し接合して一体化したものでもよいし、一体の軸を加工したものでもよい。
【００３９】
第１のネジ溝２１ｒ1には、図示の如く第２レンズ群鏡枠２ｋに形成された雌ネジ部が螺合し、第２のネジ溝２１ｒ2には、図示の如く第４レンズ群鏡枠４ｋに形成された雌ネジ部が螺合している。なお、第１のネジ溝２１ｒ1、第２のネジ溝２１ｒ2にそれぞれ雌ネジ部材を螺合させ、この雌ネジ部材と第２レンズ群鏡枠２ｋ及び第４レンズ群鏡枠４ｋをそれぞれ係合させる構成でもよい。
【００４０】
第１モータ２１の所定の方向の回転により、第２レンズ群２と第４レンズ群４は異なる移動量で双方から第３レンズ群３に接近し、第１モータ２１の逆方向の回転により、異なる移動量で共に第３レンズ群３から離間するように移動する。これにより、第２レンズ群２と第４レンズ群４は図３の移動線図に示す移動をすることができる。
【００４１】
即ち、第１モータ２１により、第２レンズ群２は光軸ＯＢ上を移動し、第４レンズ群４は反射面により折り曲げられた、光軸ＯＢとは同一直線でない光軸ＯＤ上を移動する。これにより、１つのモータで２つのレンズ群を移動させることができ、レンズ鏡胴を低コスト化することができる。
【００４２】
また、反射部材Ｒ２、Ｒ３により光軸ＯＢ、ＯＤを略平行とし、第１モータ２１を光軸ＯＢ、ＯＤの間の空間に配置することにより、小型のレンズ鏡胴とすることができる。
【００４３】
一方、第２モータ２２も、同図（ｃ）に示すように略平行な光軸ＯＢ、ＯＤの間の空間に配置されており、第５レンズ群５を図３の移動線図に示した移動を行わせる。このように、略平行の光軸ＯＢ、ＯＤの間の空間に第１モータ２１、第２モータ２２を共に配置することで、更に小型のレンズ鏡胴とすることができる。
【００４４】
図４は、レンズ鏡胴５０内の第５レンズ群を移動させる機構を模式的に示した図である。なお、同図においても、移動するレンズ群を案内するガイド軸を省略して示してある。
【００４５】
同図に示すように、第２モータ２２には、回転軸に雄ネジ部材であるリードスクリュー２２ｒが形成されている。リードスクリュー２２ｒには図示の如く第５レンズ群鏡枠５ｋに形成された雌ネジ部が螺合している。なお、リードスクリュー２２ｒに雌ネジ部材を螺合させ、この雌ネジ部材と第５レンズ群鏡枠５ｋを係合させる構成でもよい。
【００４６】
この第５レンズ群５は、第２モータ２２により、ズーミング及びズーミングにより移動した位置から更に移動することでフォーカシングを行う。
【００４７】
なお、不図示であるが、２つのフォトインタラプタが設けられており、第２レンズ群鏡枠２ｋと第４レンズ群鏡枠４ｋのいずれか一方と第５レンズ群鏡枠５ｋに形成された遮蔽部の挿脱切り替わり位置を検出することにより初期位置検出が行われるようになっている。この初期位置を基準にして第１モータ２１、第２モータ２２の回転方向及び回転量をそれぞれ独立に制御し、各レンズ群の位置制御が行われるようになっている。なお、各レンズ群鏡枠の初期位置検出は、フォトリフレクタであってもよい。
【００４８】
なお、上記の第１の実施の形態においては、第１のネジ溝２１ｒ1と第２のネジ溝２１ｒ2のネジ進み方向が同じで、ピッチの異なるもので説明したが、これに限るものでなく、共に異なっているものや、ネジ進み方向とピッチの両方が同じものでもよいのは勿論であり、これらは、使用する撮像光学系の仕様に基づいて適宜選択されるものである。また、両方が同じものの場合には、第２レンズ群鏡枠２ｋと第４レンズ群鏡枠４ｋを一体化して形成することもできる。
【００４９】
図５は、第１の実施の形態に係るレンズ鏡胴５０における、第２レンズ群鏡枠と第４レンズ群鏡枠を一体化して形成した例を示す図である。
【００５０】
同図に示すように、第２レンズ群２と第４レンズ群４は、一体の鏡枠８ｋに組み付けられている。鏡枠８ｋは図示の如く第１モータ２１のリードスクリュー２１ｒに螺合しており、リードスクリュー２１ｒの回転により、第２レンズ群２は光軸ＯＢに沿って移動し、第４レンズ群４は光軸ＯＤに沿って移動する。この場合には、リードスクリュー２１ｒの回転に対する、それぞれのレンズ群の移動量は同じとなる。なお、第５レンズ群鏡枠５ｋの移動に関しては図４に示したものと同様である。
【００５１】
このように、２つのレンズ群を一体的に形成された鏡枠に組み付け、単一のリードスクリュー２１ｒにより移動させるよう構成することにより、より低コストなレンズ鏡胴を得ることが可能となる。
【００５２】
（第２の実施の形態）
以下、第２の実施の形態に係るレンズ鏡胴及び撮像装置について説明する。
【００５３】
図６は、第２の実施の形態に係るレンズ鏡胴を備えた撮像装置の一例である、カメラ１００の主要構成ユニットの内部配置の一例を示す図である。同図は、カメラ１００を被写体側斜め上方から見た斜視図である。同図については、図１に示したものと異なる部分についてのみ説明する。
【００５４】
第２の実施の形態に係るレンズ鏡胴５０は、被写体に向かう光軸ＯＡが、まず図示のカメラ１００の側面に沿って下方へ折り曲げられたのち、底面で横方向に再度り曲げられた全体としてＬ字型をしたものである。
【００５５】
図７は、第２の実施の形態に係るレンズ鏡胴５０の内部の変倍可能な折り曲げ撮像光学系を示す模式図である。同図（ａ）は被写体光の入射する光軸ＯＡと、光軸ＯＡが折り曲げられた後の光軸ＯＢを含む面で切断した被写体光入射部の模式的な部分断面を示し、同図（ｂ）は光軸ＯＢと、光軸ＯＢが折り曲げられた後の光軸ＯＣとを含む面で切断した模式的な断面を示している。なお、本例も移動する各レンズ群を直進案内するガイド部材を省略して示してある。
【００５６】
同図に示す撮像光学系については、第１レンズ群１、第３レンズ群３は固定レンズ群であり、第２レンズ群２、第４レンズ群４、第５レンズ群５はワイド（Ｗ）〜テレ（Ｔ）の間では、それぞれ移動してズーミングが行われる。なお、第５レンズ群５はズーミングで移動した位置から更に移動してフォーカシングも行うようになっている。
【００５７】
同図に示すように、第２レンズ群鏡枠２ｋの外周には略１２０°間隔でカムピン２ｐが一体的に形成されており、このカムピン２ｐが係合するカム溝が形成されたカム筒２０が設けられている。カム筒２０は、回動可能に支持されており、カム筒２０の回動により、不図示の直進案内を行うガイド部材にガイドされて、第２レンズ群鏡枠２ｋは、光軸ＯＢ方向に直進移動可能となっている。
【００５８】
第４レンズ群鏡枠４ｋに形成された雌ネジ部は、リードスクリュー２１ｒに螺合し、不図示の回転係止がなされており、第１モータ２１の回転即ちリードスクリュー２１ｒの回転により、第４レンズ群鏡枠４ｋ即ち第４レンズ群４は光軸ＯＣ方向に移動させられる。
【００５９】
第１モータ２１は、第４レンズ群鏡枠４ｋが螺合するリードスクリュー２１ｒと、このリードスクリュー２１ｒに一体的に形成された歯車部２１ｇを備えている。歯車部２１ｇの回転は、減速歯車２２、２３により減速され、減速歯車２３と同軸に形成された傘歯車２３ｐを回転させる。傘歯車２３ｐと歯合する傘歯車部が形成されたカム筒２０は、この傘歯車２３ｐの回転により回動し、第２レンズ群鏡枠２ｋは光軸ＯＢ方向に直進移動する。
【００６０】
即ち、第１モータ２１の回転駆動により、光軸ＯＢ上に位置する第２レンズ群２及び、反射部材Ｒ２により折り曲げられた光軸ＯＣ上に位置する第４レンズ群を移動させるようになっている。本例のように、２つのレンズ群のうち、いずれか一方をカムにより移動させるようにすることで、カムにより移動させるレンズ群の移動量変化の設定が自由にできるようになり、レンズ設計の自由度を増加させることができる。
【００６１】
なお、第５レンズ群５は、不図示の第２モータにより、ズーミング及びズーミングにより移動した位置から更に移動することでフォーカシングを行うようになっている。
【００６２】
図８は、第２の実施の形態に係るレンズ鏡胴５０の別の例を示す図である。同図は、第２レンズ群鏡枠２ｋの移動を板状のカム部材で行うようにした例を示している。なお、本例も移動する各レンズ群を直進案内するガイド部材を省略して示してある。同図に示すレンズ鏡胴５０は、図６と異なる部分についてのみ説明する。
【００６３】
同図に示すように、第１モータ２１のリードスクリュー２１ｒには、ナット２１ｎが螺合しており、このナット２１ｎは不図示の回転係止がなされ、リードスクリュー２１ｒの回転により、光軸ＯＣ方向に直進移動するようになっている。ナット２１ｎにはピン２１ｐが形成されている。また、第２レンズ群鏡枠２ｋには、ピン２ｐが形成されている。
【００６４】
２５は板状のカム部材（ベルクランクとも称す）であり、２６は軸である。軸２６によりベルクランク２５は回動可能に軸止されている。ベルクランク２５には、ピン２１ｐが係合する長溝２５ｍ1及びピン２ｐが係合する長溝２５ｍ2が形成されている。
【００６５】
第１モータ２１によりリードスクリュー２１ｒを回転させ、光軸ＯＣ上の第４レンズ群鏡枠４ｋを第３レンズ群３に接近させる方向に移動させると、ナット２１ｎも紙面右方向に移動する。このナット２１ｎの図示右方向の移動に伴って、ベルクランク２５は軸２６周りに図示矢印で示す時計周り方向に回動し、長溝２５ｍ2に係合するピン２ｐを反射部材Ｒ２方向に移動させ、不図示のガイド部材に沿って第２レンズ群鏡枠２ｋを第３レンズ群３に接近させる方向に移動させるようになっている。
【００６６】
一方、上記の第２レンズ群２及び第４レンズ群４が第３レンズ群に接近した状態から、リードスクリュー２１ｒを逆方向に回転させると、光軸ＯＣ上の第４レンズ群鏡枠４ｋは第３レンズ群３から離間する方向に移動し、ナット２１ｎも紙面左方向に移動する。このナット２１ｎの紙面左方向の移動に伴って、ベルクランク２５は軸２６周りに図示矢印と逆の反時計周り方向に回動し、長溝２５ｍ2に係合するピン２ｐを第１レンズ群１の方向に移動させ、不図示のガイド部材に沿って第２レンズ群鏡枠２ｋを第３レンズ群３から離間する方向に移動させることができる。
【００６７】
このように、反射面により折り曲げられた、同一直線でない光軸上にそれぞれ位置する２つのレンズ群のうち一方のレンズ群を、板状のカム部材を用いて移動させるようにすることで図７に示したレンズ鏡胴と同様の効果を得つつ、図７に示したレンズ鏡胴よりも低コストのレンズ鏡胴とすることができる。
【００６８】
図９は、第２の実施の形態に係るレンズ鏡胴５０のその他の例を示す図である。同図も、第２レンズ群鏡枠２ｋの移動を板状のカム部材で行うようにした例を示している。なお、本例も移動する各レンズ群を直進案内するガイド部材を省略して示してある。同図に示すレンズ鏡胴５０については、図８と異なる部分についてのみ説明する。
【００６９】
同図に示すように、第４レンズ群鏡枠４ｋには、ピン４ｐが一体的に形成されている。
【００７０】
２５はベルクランクであり、２６は軸である。軸２６によりベルクランク２５は回動可能に軸止されている。ベルクランク２５には、ピン４ｐが係合する長溝２５ｍ1及びピン２ｐが係合する長溝２５ｍ2が形成されている。
【００７１】
第１モータ２１によりリードスクリュー２１ｒを回転させ、光軸ＯＣ上の第４レンズ群鏡枠４ｋを第３レンズ群３に接近させる方向に移動させると、第４レンズ群鏡枠４ｋに一体的に形成されたピン４ｐにより、ベルクランク２５は軸２６周りに図示時計周り方向に回動し、長溝２５ｍ2に係合するピン２ｐを反射部材Ｒ２方向に移動させ、不図示のガイド部材に沿って第２レンズ群鏡枠２ｋを第３レンズ群３に接近させる方向に移動させるようになっている。
【００７２】
一方、上記の第２レンズ群２及び第４レンズ群４が第３レンズ群に接近した状態から、リードスクリュー２１ｒを逆方向に回転させると、光軸ＯＣ上の第４レンズ群鏡枠４ｋは第３レンズ群３から離間する方向に移動し、ピン４ｐも紙面左方向に移動する。このピン４ｐの紙面左方向の移動に伴って、ベルクランク２５は軸２６周りに反時計周り方向に回動し、長溝２５ｍ2に係合するピン２ｐを第１レンズ群１の方向に移動させ、不図示のガイド部材に沿って第２レンズ群鏡枠２ｋを第３レンズ群３から離間する方向に移動させることができる。
【００７３】
このようにすることで、同様の効果を得つつ、図８に示したレンズ鏡胴よりも部品点数を削減でき、更なる低コスト化されたレンズ鏡胴を得ることが可能となる。
【００７４】
また、上記の第２の実施の形態においては、第２レンズ群鏡枠２ｋをカムを用いて移動させ、第４レンズ群鏡枠４ｋをリードスクリュー２１ｒに螺合させて移動させるもので説明したが、これに限るものでなく、仕様に応じて第２レンズ群鏡枠２ｋをリードスクリュー２１ｒに螺合させて移動させ、第４レンズ群鏡枠４ｋをカムを用いて移動させるようにしてもよいのは勿論である。
【００７５】
また、第２の実施の形態で説明した、一方のレンズ群をカムにより移動させる構成は、図２に示す、光軸が略平行である場合にも適用可能であるのはいうまでもない。
【００７６】
また、上記の第１の実施の形態及び第２の実施の形態においては、反射部材に平面鏡を用いた例で説明したが、プリズム等を適宜用いてもよいのは勿論である。また、１つの駆動源で移動させられる２つのレンズ群を共に、カムにより移動するよう構成してもよいのは勿論である。
【図面の簡単な説明】
【００７７】
【図１】第１の実施の形態に係るレンズ鏡胴を備えた撮像装置の一例である、カメラの主要構成ユニットの内部配置の一例を示す図である。
【図２】第１の実施の形態に係るレンズ鏡胴の内部の変倍可能な折り曲げ撮像光学系を示す模式図である。
【図３】ズーミング時の各レンズ群の移動線図である。
【図４】レンズ鏡胴内の第５レンズ群を移動させる機構を模式的に示した図である。
【図５】第１の実施の形態に係るレンズ鏡胴における、第２レンズ群鏡枠と第４レンズ群鏡枠を一体化して形成した例を示す図である。
【図６】第２の実施の形態に係るレンズ鏡胴を備えた撮像装置の一例である、カメラの主要構成ユニットの内部配置の一例を示す図である。
【図７】第２の実施の形態に係るレンズ鏡胴の内部の変倍可能な折り曲げ撮像光学系を示す模式図である。
【図８】第２の実施の形態に係るレンズ鏡胴の別の例を示す図である。
【図９】第２の実施の形態に係るレンズ鏡胴のその他の例を示す図である。
【符号の説明】
【００７８】
１  第１レンズ群
２  第２レンズ群
２ｋ  第２レンズ群鏡枠
３  第３レンズ群
４  第４レンズ群
４ｋ  第４レンズ群鏡枠
５  第５レンズ群
５ｋ  第５レンズ群鏡枠
６  光学フィルタ
７  撮像素子
２０  カム筒
２１  第１モータ
２１ｒ  リードスクリュー
２２  第２モータ
２２ｒ  リードスクリュー
２５  板状のカム部材（ベルクランク）
２６  軸
５０  レンズ鏡胴
１００  カメラ（撮像装置）
ＯＡ、ＯＢ、ＯＣ、ＯＤ  光軸
Ｒ１、Ｒ２、Ｒ３  反射部材
Ｓ  絞りシャッタユニット
【図１】
0004811711.tif 000002
【図２】
0004811711.tif 000003
【図３】
0004811711.tif 000004
【図４】
0004811711.tif 000005
【図５】
0004811711.tif 000006
【図６】
0004811711.tif 000007
【図７】
0004811711.tif 000008
【図８】
0004811711.tif 000009
【図９】
0004811711.tif 000010